(57)【特許請求の範囲】
【請求項１】
ヘッドバンドの第１端部（１００）に一体に設けられてヘッドバンドの第２端部（２００）が挿入される空間を提供し、前記第２端部（２００）の表面に設けられた係止突起部（２１０）に接触する固定突起部（１１３）を含むガイド部（１１０）と、
前記ガイド部（１１０）の内側に挿入固定され、前記ガイド部（１１０）に設けられた露出孔（１１１）を通じて露出する押圧板（３１０）と、前記押圧板（３１０）の押圧により持ち上げられて前記固定突起部（１１３）を前記係止突起部（２１０）から接触解除する押上板（３３０）と、を含む作動部（３００）と、
を含み、
前記作動部（３００）は、
前記押圧板（３１０）の押圧によって持ち上げられる押上板（３３０）と、前記ガイド部（１１０）に固定される結合部材（３４０）と、前記押圧板（３１０）と前記押上板（３３０）との間で前記結合部材（３４０）に両端が連結されて前記押圧板（３１０）が押された状態で、その両端が捩れて前記押上板（３３０）を持ち上げることができるようにすると共に、前記押圧板（３１０）の押圧が解除された時、その捩れた両端が元の形状に復元されながら前記押圧板（３１０）及び前記押上板（３３０）を元の位置に移動させる回動部（３２０）と、を含み、
前記作動部は、前記押圧板（３１０）の押圧によって前記押上板（３３０）を持ち上げ、前記押上板（３３０）に一部が接触された前記固定突起部（１１３）を持ち上げると共に、前記固定突起部（１１３）を前記係止突起部（２１０）から離脱させることを特徴とする、ヘッドバンドのバックル。
【請求項２】
前記ガイド部（１１０）の後端には前記ガイド部（１１０）を貫通して挿入された前記第２端部（２００）の端縁部をガイドして前記第２端部（２００）が離脱しないようにする離脱防止部（１２０）をさらに含むことを特徴とする、請求項１に記載のヘッドバンドのバックル。
【請求項３】
前記ガイド部（１１０）は、
前記第２端部（２００）が挿入される方向に通孔が設けられ、前面に露出孔（１１１）及び弾性部（１１２）と、
前記作動部（３００）を挿入できるように開放された背面と、
前記作動部（３００）に設けられた結合部材（３４０）が圧入される締結孔と、
前記弾性部（１１２）の端部から前記ガイド部（１１０）の内側に突出した固定突起部（１１３）と、
を含むことを特徴とする、請求項１に記載のヘッドバンドのバックル。
【請求項４】
前記第２端部（２００）は、
前記係止突起部（２１０）の後端側の側面から突出するストッパー（２２０）をさらに含むことを特徴とする、請求項１に記載のヘッドバンドのバックル。
【発明の詳細な説明】
【技術分野】
【０００１】
本発明はヘッドバンドのバックルに関し、より詳しくは、産業用、軍用、待避用など、多様な用途の安全帽に適用されて安全帽の離脱を防止するように着用者の頭サイズに合うように調節できるヘッドバンドのバックルに関する。
【背景技術】
【０００２】
一般に、産業用、軍用、及び火災や地震などの災難の発生に対応して備えて置く待避用安全帽にはヘッドバンドが設けられている。このヘッドバンドは、着用者の頭サイズに合せて適当に調節可能であるので、着用者が走るなどの激しい動きがあっても安全帽が離脱することを防止する用途に使われる。
【０００３】
この際、ヘッドバンドの長さを調節するバックルに対し、多様な構造が知られている。このバックルは、より精密にヘッドバンドの長さを調節することができ、長さを調節して固定することが容易であり、また、安全帽を脱ぐ時、長さを容易に伸ばして容易に脱ぐことができるようにすることを目的とする。
【０００４】
特許文献１（バックル付けバンド及びそのバックル、２００５年３月２４日登録）には、多様なバックルの形態が記載されているが、ヘッドバンドの長さ調整の容易性及び長さを容易に伸ばすことができる構造である図１０から図１５に記載された構造が主に使われている。
【０００５】
上記特許文献１の図１０から図１５に記載されたヘッドバンドのバックルは、ヘッドバンドの一端に連結されて、ヘッドバンドの他端が挿入されるガイドが設けられており、そのガイドに挿入された他端には多数の凹凸構造が連続配置される係止突起が設けられている。
【０００６】
特許文献１は、この係止突起に噛み合ってガイドに挿入される方向には、上記他端の移動は可能であるが、反対方向には移動が不可能であるように固定突起が設けられ、使用者が押すと、上記固定突起が係止突起から離脱される押圧板を含んで、押圧板を押した時、バンドの両端を互いに分離可能な構造であり、これを簡略化した図面を参照して、その構成をより詳細に説明すると、次の通りである。
【０００７】
図１は、従来のヘッドバンドのバックルの断面構成図である。
【０００８】
図１を参照すると、従来のヘッドバンドのバックルは、ヘッドバンドの第１端部１に設けられたガイド７と、上記ガイド７に挿入されるヘッドバンドの第２端部２と、上記第２端部２の上部に設けられる係止突起部３と、上記係止突起部３に係止されて上記第２端部２が上記ガイド７に挿入される方向Ｄ１には移動可能であるが、反対方向Ｄ２には移動できないようにする固定突起部４と、上記ガイド７に両端が連結され、一端に設けられた押圧部６の押圧により上記固定突起部４を係止突起部３から持ち上げて上記第２端部２がＤ２方向に移動できるようにする回動部５と、を含んで構成される。
【０００９】
上記のような構成において、上記回動部５は押圧部６が使用者により押されていない状態では充分な弾性復原力により元の位置に復元されて、上記固定突起部４が係止突起部３に接触して第２端部２のＤ２方向への移動が制限される。
【００１０】
このような従来のヘッドバンドのバックルは、ヘッドバンドの両端を結合してバンドを形成し、そのバンドの直径を調節して使用者の頭に適当なサイズに調節することができ、その調節された状態を維持することができ、安全帽を脱ぐ場合、上記押圧部６を押して回動部５により相対運動するようになる固定突起部４を係止突起部３から離脱させて、ヘッドバンドのサイズを伸ばした状態になるようにして、容易に脱ぐことができるようになる。
【００１１】
しかしながら、上記回動部５はガイド７に連結された状態で反復的に回動することにより弾性復原力が低下して上記固定突起部４を係止突起部３に堅く密着させられない場合が発生して、調節されたヘッドバンドの長さを維持できない場合が発生することがある。
【００１２】
このように、回動部５に損傷が発生した場合、回動部５と固定突起部４とがヘッドバンドの第１端部１に一体に設けられているので、その回動部５と固定突起部４とを選択的に取り替えることができず、ヘッドバンド全体を取替えなければならない。
【００１３】
したがって、従来のヘッドバンドのバックルは、そのバックルの損傷時、バックル部分のみを取り替えることができず、ヘッドバンド全体を取替えなければならないので、メンテナンス費用が増加する問題点があった。
【先行技術文献】
【特許文献】
【００１４】
【特許文献１】韓国特許第１０−０４８０６６９号明細書
【発明の概要】
【発明が解決しようとする課題】
【００１５】
上記のような問題点を勘案した本発明が解決しようとする技術的課題は、ヘッドバンドのバックルの作動部分を選択的に取替え可能なヘッドバンドのバックルを提供することにある。
【００１６】
併せて、固定突起部を回動部とは分離して回動部の弾性復原力が低下するか否かに関わらず、固定突起部が一定の圧力で係止突起部に密着できるようにして、製品の寿命の短縮を防止できるヘッドバンドのバックルを提供することにある。
【００１７】
また、本発明が解決しようとする他の技術的課題は、固定突起部の弾性復原力を適当に維持し、かつ固定突起部の面積の増加を防止できるヘッドバンドのバックルを提供することにある。
【課題を解決するための手段】
【００１８】
上記のような課題を解決するための本発明ヘッドバンドのバックルは、ヘッドバンドの第１端部に一体に設けられて、ヘッドバンドの第２端部が挿入される空間を提供し、上記第２端部の表面に設けられた係止突起部に接触する固定突起部を含むガイド部と、上記ガイド部の内側に挿入固定され、上記ガイド部に設けられた露出孔を通じて露出する押圧板、及び上記押圧板の押圧により持ち上げられて上記固定突起部を上記係止突起部から接触解除する押上板を含む作動部と、を含む。
【発明の効果】
【００１９】
本発明のヘッドバンドのバックルは、回動部及び押圧板を含む作動部分をヘッドバンドとは分離型に構成して、作動部分の損傷時、ヘッドバンドはそのまま使用し、作動部分のみを取り替えることが可能であるので、メンテナンス費用を減らすことができる効果がある。
【００２０】
併せて、本発明は回動部とは分離された固定突起部を含んで、回動部の復原力の低下に関わらず、固定突起部が係止突起部に一定の圧力で接触できるようにすることで、製品の寿命の短縮を防止し、動作の信頼性を向上させることができる効果がある。
【００２１】
また、本発明のヘッドバンドのバックルは、固定突起部に弾性復原力を与える弾性部を外側に突出折曲された構造にして、バックルの面積を最小化することができる効果がある。
【図面の簡単な説明】
【００２２】
【図１】従来のヘッドバンドのバックルの断面構成図である。
【図２】本発明の好ましい実施形態に従うヘッドバンドのバックルの分離状態斜視図である。
【図３】図２の結合状態断面構成図である。
【図４】本発明の他の実施形態に従うヘッドバンドのバックルの分離状態斜視図である。
【発明を実施するための形態】
【００２３】
以下、本発明のヘッドバンドのバックルに対し、添付した図面を参照して詳細に説明する。
【００２４】
図２は本発明の好ましい実施形態に従うヘッドバンドのバックルの分離状態斜視図であり、図３は図２の結合状態断面構成図である。
【００２５】
図２及び図３を各々参照すると、本発明の好ましい実施形態に従うヘッドバンドのバックルは、ヘッドバンドの第１端部１００に一体に設けられて、ヘッドバンドの第２端部２００が挿入される空間を提供し、上記第２端部２００の表面に設けられた係止突起部２１０に接触する固定突起部１１３を含むガイド部１１０と、上記ガイド部１１０の内側に挿入固定され、上記ガイド部１１０に設けられた露出孔１１１を通じて露出する押圧板３１０、及び上記押圧板３１０の押圧により持ち上げられて上記固定突起部１１３を上記係止突起部２１０から接触解除する押上板３３０を含む作動部３００と、を含んで構成される。
【００２６】
以下、上記のように構成される本発明の好ましい実施形態に従うヘッドバンドのバックルの構成及び作用についてより詳細に説明する。
【００２７】
まず、図面に図示してはいないが、第１端部１００及び第２端部２００は帯型のヘッドバンドの両端であり、相互結合されることによって、ヘッドバンドを環状にして着用者の頭に安全帽を密着固定させることができる構造である。
【００２８】
上記ヘッドバンドの第１端部１００の端部には第２端部２００が挿入される空間を提供するガイド部１１０が設けられており、ガイド部１１０の後段にはガイド部１１０を貫通して挿入された第２端部２００の端縁部をガイドして第２端部２００が離脱しないようにする離脱防止部１２０が設けられている。
【００２９】
上記ガイド部１１０の具体的な形状は、上記第２端部２００が挿入される方向に通孔が設けられ、前面に露出孔１１１及び弾性部１１２が設けられており、その弾性部１１２の端部にはガイド部１１０の内側に突出した固定突起部１１３が設けられている。
【００３０】
上記第２端部２００には、上記ガイド部１１０の内側に挿入された状態で、そのガイド部１１０の前面側に向かうように多数の突起が連続して設けられた係止突起部２１０が設けられており、その係止突起部２１０の突起は図３に示すように、挿入方向側は傾斜面で形成され、反対側は垂直または垂直に近い面で形成されて、これとは反対の形状を有する固定突起部１１３が係止突起部２１０の突起の間に位置した時、離脱方向であるＤ２方向への第２端部２００の離脱が防止できるようになる。
【００３１】
上記ガイド部１１０に挿入固定される作動部３００は、そのガイド部１１０の背面側で結合されるように結合部材３４０が縁部に設けられており、その結合部材３４０はガイド部１１０の前面部に設けられた締結孔１１４に圧入して固定される。
【００３２】
上記作動部３００は、押圧板３１０と、上記押圧板３１０の押圧によって持ち上げられる押上板３３０と、上記押圧板３１０と押上板３３０との間で上記結合部材３４０に両端が連結されて押圧板３１０が押された状態で、その両端が捩れて上記押上板３３０を持ち上げることができるようにすると共に、押圧板３１０の押圧が解除された時、その捩れた両端が元の形状に復元されながら押圧板３１０及び押上板３３０を元の位置に移動させる回動部３２０が設けられている。
【００３３】
上記押上板３３０が持ち上げられる時には、その押上板３３０に一部が接触した上記固定突起部１１３を持ち上げるようになり、固定突起部１１３を係止突起部２１０から離脱させて第２端部２００がＤ２方向に移動できる状態にする。
【００３４】
このように構成される本発明のヘッドバンドの調節及び固定動作時、上記第２端部２００がＤ１方向に挿入される時、上記固定突起部１１３と係止突起部２１０とは互いの傾斜面が接触した状態で上記固定突起部１１３に下向きの弾性復原力を提供する弾性部１１２が上向きに動いて、第２端部２００がガイド部１１０に挿入される。
【００３５】
このような状態で、上記第２端部２００をＤ２方向に動かすために、着用者は上記露出孔１１１を通じて露出する押圧板３１０を押す。上記押圧板３１０と押上板３３０との間の回動部３２０により上記押上板３３０が持ち上げられながら、その上部に接触した固定突起部１１３を持ち上げた状態で、着用者は容易に第２端部２００をＤ２方向に移動させることができるようになる。
【００３６】
上記Ｄ２方向に第２端部２００を移動させた後、押圧板３１０を押さえなければ、ガイド部１１０の前面に設けられた弾性部１１２の復原力が上記固定突起部１１３に作用して上記固定突起部１１３が係止突起部２１０に係止されてＤ２方向への移動が制限される。
【００３７】
上記弾性部１１２には、折り曲げられた突出部が設けられており、これは固定突起部１１３に適当な弾性復原力を提供するためには、弾性部が水平な場合、それ自体の長さをより長くしなければならない。このように水平の弾性部は面積を多く占めるため、ガイド部１１０が不要に大きくなる。
【００３８】
しかしながら、本発明のように弾性部１１２を折曲構造にすることで、その狭い面積でも適当な弾性力を与えることができるので、ガイド部１１０のサイズを縮めるようになる。
【００３９】
このように、本発明はガイド部１１０と作動部３００とを別途に形成して、作動部３００の損傷時、作動部３００のみを選択的に取り替えることができ、従来とは異なり、固定突起部１１３が直接回動部３２０に連結されないので、回動部３２０の弾性力の低下に関わらず、固定突起部１１３を適当な圧力で係止突起部２１０に接触できるようにすることができる。
【００４０】
図４は、本発明の他の実施形態に従う第２端部２００の構成図である。
【００４１】
図４を参照すると、本発明の他の実施形態に従う第２端部２００には、上記係止突起部２１０の後端側の第２端部２００の縁部から突出するストッパー２２０が設けられている。
【００４２】
上記ストッパー２２０は、第２端部２００がガイド部１１０側にあまりに深く挿入されることを防止できるものであり、着用者が片手で第２端部２００の結合を容易に行なうことができる取っ手の役割もすることができる。
【００４３】
本発明は、上記実施形態に限定されず、本発明の技術的要旨を逸脱しない範囲内で多様に修正、変形して実施できることは、本発明が属する技術分野で通常の知識を有する者において自明である。
【符号の説明】
【００４４】
１００    第１端部
１１０    ガイド部
１１１    露出孔
１１２    弾性部
１１３    固定突起部
１１４    締結孔
１２０    離脱防止部
２００    第２端部
２１０    係止突起部
２２０    ストッパー
３００    作動部
３１０    押圧板
３２０    回動部
３３０    押上板
３４０    結合部材
【図１】
0005894204.tif 000002
【図２】
0005894204.tif 000003
【図３】
0005894204.tif 000004
【図４】
0005894204.tif 000005